(57)【要約】【課題】車両に乗車している者にとって、不要な広告の配信を減少させること。【解決手段】広告配信装置は、移動端末のユーザＩＤとユーザ属性情報とを関連付けて記憶する個人情報ＤＢと、移動端末と、移動端末の位置の履歴とを関連付けて記憶する位置情報ＤＢと、位置の履歴に基づいて、移動端末のユーザが利用していた道路を推定する利用道路推定部と、個人情報ＤＢと、道路の推定結果とに基づいて、道路を利用するユーザの属性情報の分布を、時間帯毎に作成する道路利用傾向把握部と、広告情報を格納する広告情報ＤＢと、車両収容装置が送信した位置情報と広告配信対象者の属性情報と、道路を利用するユーザ属性情報の分布とに基づいて、車両収容装置へ配信する広告情報を決定する決定部と、広告情報を、車両収容装置へ配信する配信部とを備える。【選択図】図３
2020052907.tif 000002
【特許請求の範囲】
【請求項１】
車両収容装置と、広告配信装置とを含む広告配信システムであって、
前記広告配信装置は、
移動端末を保有するユーザの識別情報と前記ユーザの属性情報とを関連付けたユーザ情報を記憶する個人情報ＤＢと、
前記移動端末の識別情報と前記移動端末の位置情報の履歴とを関連付けた情報である位置履歴情報を記憶する位置情報ＤＢと、
前記位置情報ＤＢに記憶されている前記位置履歴情報に基づいて、前記移動端末を保有する前記ユーザが利用していた道路の推定結果である道路推定情報を導出する利用道路推定部と、
前記個人情報ＤＢに含まれる前記ユーザ情報と、前記利用道路推定部が導出した前記道路推定情報とに基づいて、前記道路を利用するユーザの属性情報の分布を、時間帯毎に作成する道路利用傾向把握部と、
複数の広告情報を格納する広告情報ＤＢと、
車両収容装置が送信した位置情報と広告配信対象者の属性情報と、前記道路利用傾向把握部が作成した前記道路を利用するユーザの属性情報の分布とに基づいて、前記広告情報ＤＢに格納されている複数の前記広告情報から、前記車両収容装置へ配信する広告情報を決定する広告決定部と、
前記広告決定部が決定した広告情報を、前記車両収容装置へ配信する広告配信部と
を備える、広告配信システム。
【請求項２】
前記利用道路推定部は、前記道路推定情報に基づいて、前記ユーザが向かう目的地を推定し、
前記道路利用傾向把握部は、前記利用道路推定部が推定した前記目的地にさらに基づいて、前記道路を利用するユーザの属性情報の分布を、時間帯毎に作成する、請求項１に記載の広告配信システム。
【請求項３】
前記車両収容装置は、
前記車両収容装置を収容する車両の位置を収集し、収集した前記位置を示す情報を含み、前記広告配信装置をあて先とする車両位置通知情報を作成する位置計測部と、
前記広告配信装置が送信した広告配信情報に含まれる広告情報のうち、前記車両の位置に応じた広告情報を出力する広告出力部と、
前記広告配信対象者の属性情報を含み、前記広告配信装置をあて先とする属性情報通知情報を作成する個人属性部と
を備える、請求項１又は請求項２に記載の広告配信システム。
【請求項４】
前記広告出力部は、前記広告情報を、映像と、音声とのいずれか一方又は両方で出力する、請求項３に記載の広告配信システム。
【請求項５】
車両収容装置に広告情報を配信する広告配信装置であって、
移動端末を保有するユーザの識別情報と前記ユーザの属性情報とを関連付けたユーザ情報を記憶する個人情報ＤＢと、
前記移動端末の識別情報と前記移動端末の位置情報の履歴とを関連付けた情報である位置履歴情報を記憶する位置情報ＤＢと、
前記位置情報ＤＢに記憶されている前記位置履歴情報に基づいて、前記移動端末を保有する前記ユーザが利用していた道路の推定結果である道路推定情報を導出する利用道路推定部と、
前記個人情報ＤＢに含まれる前記ユーザ情報と、前記利用道路推定部が導出した前記道路推定情報とに基づいて、前記道路を利用する属性情報の分布を、時間帯毎に作成する道路利用傾向把握部と、
複数の広告情報を格納する広告情報ＤＢと、
車両収容装置が送信した位置情報と広告配信対象者の属性情報と、前記道路利用傾向把握部が作成した前記道路を利用するユーザの属性情報の分布とに基づいて、前記広告情報ＤＢに格納されている複数の前記広告情報から、前記車両収容装置へ配信する広告情報を決定する広告決定部と、
前記広告決定部が決定した広告情報を、前記車両収容装置へ配信する広告配信部と
を備える、広告配信装置。
【請求項６】
車両の位置を収集し、収集した前記位置を示す情報を含み、広告配信装置をあて先とする車両位置通知情報を作成する位置計測部と、
広告配信対象者の属性情報を含み、前記広告配信装置をあて先とする属性情報通知情報を作成する個人属性部と、
前記広告配信装置が、前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力する広告出力部と
を備える、移動端末。
【請求項７】
移動端末の識別情報と前記移動端末の位置情報とを関連付けた情報を含み、広告配信装置をあて先とする端末位置通知情報と、前記移動端末を収容する車両の位置を収集し、収集した前記車両の前記位置を示す情報を含み、前記広告配信装置をあて先とする車両位置通知情報とを作成する位置計測部と、
広告配信対象者の属性情報を含み、前記広告配信装置をあて先とする属性情報通知情報を作成する個人属性部と、
前記広告配信装置が、前記車両の前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力する広告出力部と
を備える、移動端末。
【請求項８】
車両収容装置に広告情報を配信する広告配信装置が実行する広告配信方法であって、
移動端末を保有するユーザの識別情報と前記ユーザの属性情報とを関連付けたユーザ情報を記憶するステップと、
前記移動端末の識別情報と前記移動端末の位置情報の履歴とを関連付けた情報である位置履歴情報を記憶するステップと、
前記位置履歴情報に基づいて、前記移動端末を保有する前記ユーザが利用していた道路の推定結果である道路推定情報を導出するステップと、
前記ユーザ情報と、導出した前記道路推定情報とに基づいて、前記道路を利用する属性情報の分布を、時間帯毎に作成するステップと、
複数の広告情報を格納するステップと、
車両収容装置が送信した位置情報と広告配信対象者の属性情報と、前記道路を利用するユーザの属性情報の分布とに基づいて、複数の前記広告情報から、前記車両収容装置へ配信する広告情報を決定するステップと、
決定した前記広告情報を、前記車両収容装置へ配信するステップと
を有する、広告配信方法。
【請求項９】
移動端末が実行する広告配信方法であって、
車両の位置を収集し、収集した前記位置を示す情報を含み、広告配信装置をあて先とする車両位置通知情報を作成するステップと、
広告配信対象者の属性情報を含み、前記広告配信装置をあて先とする属性情報通知情報を作成するステップと、
前記広告配信装置が、前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力するステップと
を実行する、広告配信方法。
【請求項１０】
移動端末が実行する広告配信方法であって、
移動端末の識別情報と前記移動端末の位置情報とを関連付けた情報を含み、広告配信装置をあて先とする端末位置通知情報と、前記移動端末を収容する車両の位置を収集し、収集した前記車両の前記位置を示す情報を含み、前記広告配信装置をあて先とする車両位置通知情報とを作成するステップと、
広告配信対象者の属性情報を含み、前記広告配信装置をあて先とする属性情報通知情報を作成するステップと、
前記広告配信装置が、前記車両の前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力するステップと
を有する、広告配信方法。
【請求項１１】
車両収容装置に広告情報を配信する広告配信装置のコンピュータに、
移動端末を保有するユーザの識別情報と前記ユーザの属性情報とを関連付けたユーザ情報を記憶するステップと、
前記移動端末の識別情報と前記移動端末の位置情報の履歴とを関連付けた情報である位置履歴情報を記憶するステップと、
前記位置履歴情報に基づいて、前記移動端末を保有する前記ユーザが利用していた道路の推定結果である道路推定情報を導出するステップと、
前記ユーザ情報と、導出した前記道路推定情報とに基づいて、前記道路を利用する属性情報の分布を、時間帯毎に作成するステップと、
複数の広告情報を格納するステップと、
車両収容装置が送信した位置情報と広告配信対象者の属性情報と、前記道路を利用するユーザの属性情報の分布とに基づいて、複数の前記広告情報から、前記車両収容装置へ配信する広告情報を決定するステップと、
決定した前記広告情報を、前記車両収容装置へ配信するステップと
を実行させる、プログラム。
【請求項１２】
移動端末のコンピュータに、
車両の位置を収集し、収集した前記位置を示す情報を含み、広告配信装置をあて先とする車両位置通知情報を作成するステップと、
広告配信対象者の属性情報を含み、前記広告配信装置をあて先とする属性情報通知情報を作成するステップと、
前記広告配信装置が、前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力するステップと
を実行させる、プログラム。
【請求項１３】
移動端末のコンピュータに、
移動端末の識別情報と前記移動端末の位置情報とを関連付けた情報を含み、広告配信装置をあて先とする端末位置通知情報と、前記移動端末を収容する車両の位置を収集し、収集した前記車両の前記位置を示す情報を含み、前記広告配信装置をあて先とする車両位置通知情報とを作成するステップと、
広告配信対象者の属性情報を含み、前記広告配信装置をあて先とする属性情報通知情報を作成するステップと、
前記広告配信装置が、前記車両の前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力するステップと
を実行させる、プログラム。
【発明の詳細な説明】
【技術分野】
【０００１】
本発明の実施形態は、広告配信システム、広告配信装置、移動端末、広告配信方法、及びプログラムに関する。
【背景技術】
【０００２】
移動車両に対して適切な広告を配信する広告配信システムが検討されている。この技術に関して、移動車両の位置情報に応じて広告情報を配信する技術が知られている（例えば、特許文献１参照）。
【先行技術文献】
【特許文献】
【０００３】
【特許文献１】特開２００５−３３４６４号公報
【発明の概要】
【発明が解決しようとする課題】
【０００４】
従来技術では、乗車している者の移動目的が不明であるため、乗車している者にとって、不要な広告を配信してしまう場合が多い。
本発明は、上記問題を解決すべくなされたもので、その目的は、車両に乗車している者にとって、不要な広告の配信を減少できる広告配信システム、広告配信装置、移動端末、広告配信方法、及びプログラムを提供することにある。
【課題を解決するための手段】
【０００５】
（１）本発明の一態様は、移動端末と、車両収容装置と、広告配信装置とを含む広告配信システムであって、前記広告配信装置は、移動端末を保有するユーザの識別情報と前記ユーザの属性情報とを関連付けたユーザ情報を記憶する個人情報ＤＢと、前記移動端末の識別情報と前記移動端末の位置情報の履歴とを関連付けた情報である位置履歴情報を記憶する位置情報ＤＢと、前記位置情報ＤＢに記憶されている前記位置履歴情報に基づいて、前記移動端末を保有する前記ユーザが利用していた道路の推定結果である道路推定情報を導出する利用道路推定部と、前記個人情報ＤＢに含まれる前記ユーザ情報と、前記利用道路推定部が導出した前記道路推定情報に基づいて、前記道路を利用するユーザの属性情報の分布を、時間帯毎に作成する道路利用傾向把握部と、複数の広告情報を格納する広告情報ＤＢと、車両収容装置が送信した位置情報と広告配信対象者の属性情報と、前記道路利用傾向把握部が作成した前記道路を利用するユーザの属性情報の分布とに基づいて、前記広告情報ＤＢに格納されている複数の前記広告情報から、前記車両収容装置へ配信する広告情報を決定する広告決定部と、前記広告決定部が決定した広告情報を、前記車両収容装置へ配信する広告配信部とを備える、広告配信システムである。
（２）本発明の一態様は、上記（１）に記載の広告配信システムにおいて、前記利用道路推定部は、前記道路推定情報に基づいて、前記ユーザが向かう目的地を推定し、前記道路利用傾向把握部は、前記利用道路推定部が推定した前記目的地にさらに基づいて、前記道路を利用するユーザの属性情報の分布を、時間帯毎に作成する。
（３）本発明の一態様は、上記（１）又は上記（２）に記載の広告配信システムにおいて、前記車両収容装置は、前記車両収容装置を収容する車両の位置を収集し、収集した前記位置を示す情報を含み、前記広告配信装置をあて先とする車両位置通知情報を作成する位置計測部と、前記広告配信装置が送信した広告配信情報に含まれる広告情報のうち、前記車両の位置に応じた広告情報を出力する広告出力部と、前記広告配信対象者の属性情報を含み、前記広告配信装置をあて先とする属性情報通知情報を作成する個人属性部とを備える。
（４）本発明の一態様は、上記（３）に記載の広告配信システムにおいて、前記広告出力部は、前記広告情報を、映像と、音声とのいずれか一方又は両方で出力する。
【０００６】
（５）本発明の一態様は、車両収容装置に広告情報を配信する広告配信装置であって、移動端末を保有するユーザの識別情報と前記ユーザの属性情報とを関連付けたユーザ情報を記憶する個人情報ＤＢと、前記移動端末の識別情報と前記移動端末の位置情報の履歴とを関連付けた情報である位置履歴情報を記憶する位置情報ＤＢと、前記位置情報ＤＢに記憶されている前記位置履歴情報に基づいて、前記移動端末を保有する前記ユーザが利用していた道路の推定結果である道路推定情報を導出する利用道路推定部と、前記個人情報ＤＢに含まれる前記ユーザ情報と、前記利用道路推定部が導出した前記道路推定情報とに基づいて、前記道路を利用するユーザの属性情報の分布を、時間帯毎に作成する道路利用傾向把握部と、複数の広告情報を格納する広告情報ＤＢと、車両収容装置が送信した位置情報と広告配信対象者の属性情報と、前記道路利用傾向把握部が作成した前記道路を利用するユーザの属性情報の分布とに基づいて、前記広告情報ＤＢに格納されている複数の前記広告情報から、前記車両収容装置へ配信する広告情報を決定する広告決定部と、前記広告決定部が決定した広告情報を、前記車両収容装置へ配信する広告配信部とを備える、広告配信装置である。
【０００７】
（６）本発明の一態様は、車両の位置を収集し、収集した前記位置を示す情報を含み、広告配信装置をあて先とする車両位置通知情報を作成する位置計測部と、広告配信対象者の属性情報を含み、前記広告配信装置をあて先とする属性情報通知情報を作成する個人属性部と、前記広告配信装置が、前記位置を示す情報と、前記前記広告配信対象者の前記属性情報とに基づいて選択した広告情報を含む広告配信情報を配信し、配信された前記広告配信情報に含まれる広告情報のうち、前記車両の位置に応じた広告情報を出力する広告出力部とを備える、移動端末である。
（７）本発明の一態様は、移動端末の識別情報と前記移動端末の位置情報とを関連付けた情報を含み、広告配信装置をあて先とする端末位置通知情報と、前記移動端末を収容する車両の位置を収集し、収集した前記車両の前記位置を示す情報を含み、前記広告配信装置をあて先とする車両位置通知情報とを作成する位置計測部と、広告配信対象者の属性情報を含み、前記広告配信装置をあて先とする属性情報通知情報を作成する個人属性部と、前記広告配信装置が、前記車両の前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力する広告出力部とを備える、移動端末である。
【０００８】
（８）本発明の一態様は、車両収容装置に広告情報を配信する広告配信装置が実行する広告配信方法であって、移動端末を保有するユーザの識別情報と前記ユーザの属性情報とを関連付けたユーザ情報を記憶するステップと、前記移動端末の識別情報と前記移動端末の位置情報の履歴とを関連付けた情報である位置履歴情報を記憶するステップと、前記位置履歴情報に基づいて、前記移動端末を保有する前記ユーザが利用していた道路の推定結果である道路推定情報を導出するステップと、前記ユーザ情報と、導出した前記道路推定情報とに基づいて、前記道路を利用する属性情報の分布を、時間帯毎に作成するステップと、複数の広告情報を格納するステップと、車両収容装置が送信した位置情報と広告配信対象者の属性情報と、前記道路を利用するユーザの属性情報の分布とに基づいて、複数の前記広告情報から、前記車両収容装置へ配信する広告情報を決定するステップと、決定した前記広告情報を、前記車両収容装置へ配信するステップとを有する、広告配信方法である。
【０００９】
（９）本発明の一態様は、移動端末が実行する広告配信方法であって、車両の位置を収集し、収集した前記位置を示す情報を含み、広告配信装置をあて先とする車両位置通知情報を作成するステップと、広告配信対象者の属性情報を含み、前記広告配信装置をあて先とする属性情報通知情報を作成するステップと、前記広告配信装置が、前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力するステップとを実行する、広告配信方法である。
（１０）本発明の一態様は、移動端末が実行する広告配信方法であって、移動端末の識別情報と前記移動端末の位置情報とを関連付けた情報を含み、広告配信装置をあて先とする端末位置通知情報と、前記移動端末を収容する車両の位置を収集し、収集した前記車両の前記位置を示す情報を含み、前記広告配信装置をあて先とする車両位置通知情報とを作成するステップと、広告配信対象者の属性情報を含み、前記広告配信装置をあて先とする属性情報通知情報を作成するステップと、前記広告配信装置が、前記車両の前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力するステップとを有する、広告配信方法である。
【００１０】
（１１）本発明の一態様は、車両収容装置に広告情報を配信する広告配信装置のコンピュータに、移動端末を保有するユーザの識別情報と前記ユーザの属性情報とを関連付けたユーザ情報を記憶するステップと、前記移動端末の識別情報と前記移動端末の位置情報の履歴とを関連付けた情報である位置履歴情報を記憶するステップと、前記位置履歴情報に基づいて、前記移動端末を保有する前記ユーザが利用していた道路の推定結果である道路推定情報を導出するステップと、前記ユーザ情報と、導出した前記道路推定情報とに基づいて、前記道路を利用する属性情報の分布を、時間帯毎に作成するステップと、複数の広告情報を格納するステップと、車両収容装置が送信した位置情報と広告配信対象者の属性情報と、前記道路を利用するユーザの属性情報の分布とに基づいて、複数の前記広告情報から、前記車両収容装置へ配信する広告情報を決定するステップと、決定した前記広告情報を、前記車両収容装置へ配信するステップとを実行させる、プログラム。
（１２）本発明の一態様は、移動端末のコンピュータに、車両の位置を収集し、収集した前記位置を示す情報を含み、広告配信装置をあて先とする車両位置通知情報を作成するステップと、広告配信対象者の属性情報を含み、前記広告配信装置をあて先とする属性情報通知情報を作成するステップと、前記広告配信装置が、前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力するステップとを実行させる、プログラムである。
（１３）本発明の一態様は、移動端末のコンピュータに、移動端末の識別情報と前記移動端末の位置情報とを関連付けた情報を含み、広告配信装置をあて先とする端末位置通知情報と、前記移動端末を収容する車両の位置を収集し、収集した前記車両の前記位置を示す情報を含み、前記広告配信装置をあて先とする車両位置通知情報とを作成するステップと、広告配信対象者の属性情報を含み、前記広告配信装置をあて先とする属性情報通知情報を作成するステップと、前記広告配信装置が、前記車両の前記位置を示す情報と、前記広告配信対象者の前記属性情報とに基づいて選択した広告情報を含む広告配信情報を配信し、配信された前記広告配信情報に含まれる広告情報のうち、前記車両の位置に応じた広告情報を出力するステップとを実行させる、プログラムである。
【発明の効果】
【００１１】
本発明によれば、車両に乗車している者にとって、不要な広告の配信を減少できる。
【図面の簡単な説明】
【００１２】
【図１】本発明の実施形態の広告配信システムの一例を示す図である。
【図２】本発明の実施形態の広告配信システムを構成する車両収容装置のハードウェア構成と、広告配信装置のハードウェア構成との一例を示す図である。
【図３】本発明の実施形態の広告配信システムを構成する車両収容装置と、広告配信装置とを示すブロック図である。
【図４】属性情報の一例を示す図である。
【図５】個人情報ＤＢの一例を示す。
【図６】位置情報ＤＢの一例を示す。
【図７】本発明の実施形態の広告配信システムの動作の一例を示すフローチャートである。
【図８】本発明の実施形態の広告配信システムの動作の一例を示すシーケンスチャートである。
【発明を実施するための形態】
【００１３】
次に、本実施形態の広告配信システム、広告配信装置、移動端末、広告配信方法、及びプログラムを、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
（実施形態）
（広告配信システム）
図１は、本発明の実施形態の広告配信システムの一例を示す図である。本実施形態の広告配信システム１００は、複数の移動端末１−１〜移動端末１−ｊ（ｊは、ｊ＞１の整数）と、車両収容装置２と、広告配信装置３とを備える。
複数の移動端末１−１〜移動端末１−ｊの各々と、車両収容装置２と、広告配信装置３との間は、携帯電話網、インターネットなどのネットワーク５０を介して接続される。以下、複数の移動端末１−１〜移動端末１−ｊを含めて、移動端末群という。移動端末群に含まれる複数の移動端末１−１〜移動端末１−ｊの各々の一例はスマートフォンである。複数の移動端末１−１〜移動端末１−ｊの各々は、車両１１−１〜車両１１−ｎ（ｎは、ｎ＞０の整数）に持ち込まれたり、人１２−１〜人１２−ｍ（ｍは、ｍ＞０の整数）が持ち歩いたりする。以下、移動端末１−１〜移動端末１−ｊのうちの任意の移動端末を、移動端末１と記載する。
車両収容装置２の一例はカーナビゲーション装置である。車両収容装置２は、車両に搭載されてもよいし、乗車時に車両に持ち込まれるスマートフォンでもよい。車両収容装置２は、その車両収容装置２を収容する車両の位置と、その車両の位置を取得した日時とを取得し、取得した車両の位置を示す情報と、その車両の位置を取得した日時を示す情報と、車両収容装置２の識別情報（ＩＤ）とを含み、広告配信装置３をあて先とする車両位置通知情報を作成し、作成した車両位置通知情報を、広告配信装置３へ送信する。
また、車両収容装置２は、車両の運転者などの乗車者のＩＤと、乗車者の属性情報とを含み、広告配信装置３をあて先とする属性情報通知情報を作成し、作成した属性情報通知情報を、広告配信装置３へ送信する。以下、車両の乗車者の属性情報の一例として、車両の運転者の属性情報を使用した場合について説明を続ける。車両収容装置２は、広告配信装置３が配信した広告配信情報を受信し、受信した広告配信情報に含まれる広告情報を出力する。つまり、乗車者のＩＤは広告配信対象者のＩＤであり、乗車者の属性情報は広告配信対象者の属性情報である。
【００１４】
広告配信装置３は、移動端末群に含まれる複数の移動端末１−１〜移動端末１−ｊの各々を保有する個人の識別情報である個人ＩＤと、その個人の属性情報とを関連付けて記憶する。広告配信装置３は、移動端末群に含まれる複数の移動端末１−１〜移動端末１−ｊの各々の識別情報である移動端末ＩＤと、移動端末の位置の履歴を示す情報とを関連付けて記憶する。広告配信装置３は、広告情報を複数記憶する。広告配信装置３は、移動端末群に含まれる複数の移動端末１−１〜移動端末１−ｊの各々の位置の履歴を示す情報と、予め設定した地図情報とを比較することによって、マップマッチングを行い、移動端末１−１〜移動端末１−ｊの各々が走行するなどの利用していた道路を推定する。広告配信装置３は、移動端末１−１〜移動端末１−ｊの各々が、推定した道路を通過した後に向かった目的地を推定する。
広告配信装置３は、記憶している複数の移動端末１−１〜移動端末１−ｊの各々を保有する個人の個人ＩＤと、その個人の属性情報とを関連付けた情報と、移動端末１−１〜移動端末１−ｊの各々が利用していた道路の推定結果と、移動端末１−１〜移動端末１−ｊの各々の目的地の推定結果とに基づいて、道路毎に、その道路を利用する個人の属性情報の分布を、時間帯毎に導出する。
広告配信装置３は、車両収容装置２が送信した車両位置通知情報を受信し、受信した車両位置通知情報に含まれる車両の位置を示す情報と、その車両の位置を取得した日時を示す情報とを取得する。また、広告配信装置３は、車両収容装置２が送信した属性情報通知情報に含まれる車両の運転者の属性情報を取得する。広告配信装置３は、取得した車両の位置を示す情報と、その車両の位置を取得した日時を示す情報と、その車両の運転者の属性情報と、時間帯毎に導出した道路毎の個人の属性情報の分布とに基づいて、車両位置情報を送信した車両収容装置２へ送信する広告を決定する。広告配信装置３は、決定した広告情報を含む広告配信情報を作成し、作成した広告配信情報を、車両収容装置２へ送信する。
【００１５】
（広告配信システムのハードウェア構成）
図２は、本発明の実施形態の広告配信システムを構成する車両収容装置のハードウェア構成と、広告配信装置のハードウェア構成との一例を示す図である。広告配信システム１００を構成する車両収容装置２のハードウェア構成と広告配信装置３のハードウェア構成とについて順次説明する。
（車両収容装置のハードウェア構成）
車両収容装置２は、ＣＰＵ２５２と、メモリ２５４と、測位部２５５と、不揮発性メモリ２５６と、表示部２５７と、スピーカ２５８と、通信部２６６と、内部バス２５０とを備えている。
ＣＰＵ２５２は、例えば不揮発性メモリ２５６に格納されるプログラム２５６０を実行し、メモリ２５４をワークメモリとして使用して、車両収容装置２の各部を制御する。メモリ２５４は、半導体素子を利用した揮発性のメモリなどのＲＡＭによって構成され、ＣＰＵ２５２のワークメモリとして使用される。
不揮発性メモリ２５６は、例えばフラッシュメモリ等によって構成される。不揮発性メモリ２５６には、ＣＰＵ２５２によって実行されるプログラム２５６０と、属性情報２５６１とが格納される。属性情報２５６１については、後述する。測位部２５５は、車両収容装置２の位置を測位する。表示部２５７は、例えば、タッチパネルによって構成され、広告配信装置３が送信した広告情報に基づく広告画面を表示する。スピーカ２５８は、広告音声を出力する。
通信部２６６は、外部機器や、ネットワーク５０に接続された広告配信装置３などと通信して、データの送受信を行う。具体的には、通信部２６６は、ＬＴＥ等の無線通信技術で無線通信を行う無線デバイスによって構成される。内部バス２５０は、ＣＰＵ２５２、メモリ２５４、測位部２５５、不揮発性メモリ２５６、表示部２５７、スピーカ２５８、通信部２６６を互いに接続する。内部バス２５０に接続される各部は、内部バス２５０を介して互いにデータのやり取りを行うことができるようにされている。
【００１６】
（広告配信装置のハードウェア構成）
広告配信装置３は、ＣＰＵ３５２と、メモリ３５４と、不揮発性メモリ３５６と、操作部３６２と、通信Ｉ／Ｆ３６６と、内部バス３５０とを備えている。
ＣＰＵ３５２は、例えば不揮発性メモリ３５６に格納されるプログラム３５６０を実行し、メモリ３５４をワークメモリとして使用して、広告配信装置３の各部を制御する。メモリ３５４は、半導体素子を利用した揮発性のメモリなどのＲＡＭによって構成され、ＣＰＵ３５２のワークメモリとして使用される。
不揮発性メモリ３５６は、例えばフラッシュメモリ等によって構成される。不揮発性メモリ３５６には、ＣＰＵ３５２によって実行されるプログラム３５６０と、個人情報３５６１と、位置情報３５６２と、広告情報３５６６とが格納される。個人情報３５６１と、位置情報３５６２と、広告情報３５６６とについては、後述する。
操作部３６２は、操作を受け付ける入力デバイスである。通信Ｉ／Ｆ３６６は、外部機器や、ネットワーク５０に接続された車両収容装置２などと通信して、データの送受信を行うためのインターフェースである。具体的には、通信Ｉ／Ｆ３６６は、有線ＬＡＮ等の通信技術で通信を行うデバイスによって構成される。通信Ｉ／Ｆ３６６は、ワイファイ（登録商標）等の無線通信技術で無線通信を行う無線デバイスによって構成されてもよい。内部バス３５０は、ＣＰＵ３５２、メモリ３５４、不揮発性メモリ３５６、操作部３６２、及び通信Ｉ／Ｆ３６６を互いに接続する。内部バス３５０に接続される各部は、内部バス３５０を介して互いにデータのやり取りを行うことができるようにされている。
【００１７】
（本実施形態に係る広告配信システムの機能構成）
図３は、本発明の実施形態の広告配信システムを構成する車両収容装置と、広告配信装置とを示すブロック図である。
車両収容装置２は、位置計測部２０１と、広告表示部２０２と、個人属性部２０３とを有している。これらの各部は、図２に示されている各構成要素のいずれかが、不揮発性メモリ２５６からメモリ２５４上に展開されたプログラム２５６０を実行するＣＰＵ２５２からの命令によって動作することで実現される機能である。図２及び図３を用いて、車両収容装置２の各機能構成について詳細に説明する。
位置計測部２０１は、ＣＰＵ２５２からの命令、測位部２５５及び通信部２６６によって実現される。位置計測部２０１は、測位部２５５へ、位置測位命令を出力し、測位部２５５が測位した車両収容装置２の位置を示す情報と、その位置を取得した日時を示す情報とを取得する。位置計測部２０１は、取得した位置を示す情報と、その位置を取得した日時を示す情報とを含み、広告配信装置３をあて先とする車両位置通知情報を作成し、作成した車両位置通知情報を、通信部２６６へ出力する。
【００１８】
広告表示部２０２は、ＣＰＵ２５２からの命令、通信部２６６、表示部２５７及びスピーカ２５８によって実現される。広告表示部２０２は、通信部２６６が出力した広告配信情報を取得し、取得した広告配信情報に含まれる広告情報を処理することによって、広告画像と音声とを作成する。広告表示部２０２は、作成した広告画像を、表示部２５７に出力する。広告表示部２０２は、作成した音声をスピーカ２５８に出力する。
個人属性部２０３は、ＣＰＵ２５２からの命令、不揮発性メモリ２５６の属性情報２５６１及び通信部２６６によって実現される。個人属性部２０３は、不揮発性メモリ２５６に格納されている属性情報２５６１を取得し、取得した属性情報２５６１と、車両の運転者のＩＤとを含み、広告配信装置３をあて先とする属性情報通知情報を作成し、作成した属性情報通知情報を、通信部２６６へ出力する。
図４は、属性情報の一例を示す図である。
属性情報２５６１は、個人の識別情報である個人ＩＤと、その個人の性別、その個人の年齢、その個人が広告の配信を希望するジャンルなどのその個人の属性とを関連付けた情報である。具体的には、属性情報２５６１は、車両収容装置２の利用者の個人ＩＤと、その利用者の属性とを関連付けた情報である。図４に示される例では、属性情報２５６１は、個人ＩＤ「Ａ０００１」と、性別「男」と、年齢「３０」と、配信希望ジャンル「＊＊＊」とを関連付けたテーブル形式の情報である。配信希望ジャンルの一例は、スーパーの特売情報、レジャーの割引情報などのジャンルの広告情報の配信を希望することである。図３に戻り説明を続ける。
広告配信装置３は、個人情報ＤＢ３０１と、位置情報ＤＢ３０２と、利用道路推定部３０３と、道路利用傾向把握部３０５と、広告情報ＤＢ３０６と、広告決定部３０７と、広告配信部３０８とを有している。これらの各部は、図２に示されている各構成要素のいずれかが、不揮発性メモリ３５６からメモリ３５４上に展開されたプログラム３５６０を実行するＣＰＵ３５２からの命令によって動作することで実現される機能である。
【００１９】
図２及び図３を用いて、広告配信装置３の各機能構成について詳細に説明する。
個人情報ＤＢ３０１は、ＣＰＵ３５２からの命令、及び不揮発性メモリ３５６によって実現される。個人情報ＤＢ３０１は、移動端末群に含まれる複数の移動端末１−１〜移動端末１−ｊの各々を保有する個人の個人ＩＤと、その個人が保有する移動端末の移動端末ＩＤと、その個人の属性情報とを関連付けたテーブル形式の情報である。
図５は、個人情報ＤＢの一例を示す。図５に示される例では、個人情報ＤＢ３０１には、個人ＩＤ「Ａ０００１」と、移動端末ＩＤ「ＭＴ００１」と、性別「男」と、年齢「３０」と、住所「＊＊＊」とを関連付けた情報と、個人ＩＤ「Ａ０００２」と、移動端末ＩＤ「ＭＴ００２」と、性別「女」と、年齢「２５」と、住所「＊＊＊」とを関連付けた情報とが含まれる。図３に戻り説明を続ける。
位置情報ＤＢ３０２は、ＣＰＵ３５２からの命令、及び不揮発性メモリ３５６によって実現される。位置情報ＤＢ３０２は、移動端末群に含まれる複数の移動端末１−１〜移動端末１−ｊの各々の移動端末ＩＤと、移動端末の位置の履歴とを関連付けたテーブル形式の情報である。移動端末の位置の履歴を示す情報である位置履歴情報は、取得日時と位置情報との組み合わせである。
図６は、位置情報ＤＢの一例を示す。図６に示される例では、位置情報ＤＢ３０２には、移動端末ＩＤ「ＭＴ０００１」と、位置履歴情報「＊月＊日＊時＊分（＊＊，＊＊）」、「〇月〇日〇時〇分（〇〇，〇〇）」、「△月△日△時△分（△△，△△）」とを関連付けた情報と、移動端末ＩＤ「ＭＴ０００２」と、位置履歴情報「△月△日△時△分（△△，△△）」、「＊月＊日＊時＊分（＊＊，＊＊）」、「〇月〇日〇時〇分（〇〇，〇〇）」とを関連付けた情報とが含まれる。図３に戻り説明を続ける。
【００２０】
利用道路推定部３０３は、位置情報ＤＢ３０２と接続される。利用道路推定部３０３は、位置情報ＤＢ３０２に保管されている移動端末群に含まれる複数の移動端末１−１から移動端末１−ｊの各々の位置情報と、予め用意され、設定される地図情報とを比較してマップマッチングを行い、複数の移動端末１−１から移動端末１−ｊの各々が走行するなどの利用していた道路を推定する。
ここで、マップマッチングは、ＧＰＳなどの測位システムによって得られた位置情報を、地図情報を用いて道路上になるように補正する処理である。マップマッチングは、カーナビゲーションシステムなどで使用されている。マップマッチングを行うことによって、複数の移動端末１−１から移動端末１−ｊの各々の位置情報に含まれる可能性がある誤差を補正できる。利用道路推定部３０３は、複数の移動端末１−１から移動端末１−ｊの各々が利用していた道路の推定結果を示す情報を、道路利用傾向把握部３０５に出力する。
【００２１】
道路利用傾向把握部３０５は、個人情報ＤＢ３０１と、利用道路推定部３０３と接続される。道路利用傾向把握部３０５は、利用道路推定部３０３が出力した複数の移動端末１−１から移動端末１−ｊの各々が利用していた道路の推定結果を示す情報を取得し、取得した複数の移動端末１−１から移動端末１−ｊの各々が利用していた道路の推定結果を示す情報に基づいて、推定した道路を通過した後に向かった目的地を推定する。ここで、目的地の一例は、スーパーマーケット、飲食店、レジャー施設などである。例えば、道路利用傾向把握部３０５は、位置情報ＤＢ３０２に記憶された移動端末群に含まれる複数の移動端末１−１〜移動端末１−ｊの各々の移動端末ＩＤと、移動端末の位置の履歴とを関連付けた情報に基づいて、移動端末群に含まれる移動端末１−１〜移動端末１−ｊの各々のうちの任意の移動端末１が１５分などの一定時間以上の間、位置情報に、大きな変化がない場合、当該位置を目的地と推定する。
道路利用傾向把握部３０５は、個人情報ＤＢ３０１に含まれる複数の移動端末１−１〜移動端末１−ｊの各々を保有する個人の個人ＩＤと、その個人が保有する移動端末の移動端末ＩＤと、その個人の属性情報とを関連付けた情報と、複数の移動端末１−１から移動端末１−ｊの各々が利用していた道路の推定結果を示す情報である道路推定情報と、複数の移動端末１−１から移動端末１−ｊの各々の目的地の推定結果を示す情報である目的地推定情報とに基づいて、複数の道路の各々について、その道路を利用する個人の属性情報の分布を、９時から１２時、１２時から１５時、１５時から１６時、１６時から１７時などの時間帯毎に作成する。
具体的には、道路利用傾向把握部３０５は、個人情報ＤＢ３０１と道路推定情報とに基づいて、個人の個人ＩＤと、その個人が利用していた道路の推定結果とを、時間帯毎に関連付ける。道路利用傾向把握部３０５は、個人の個人ＩＤと、その個人が利用していた道路の時間帯毎の推定結果とを関連付けた情報と、個人情報ＤＢ３０１に含まれる個人の個人ＩＤと、その個人の属性情報とを関連付けた情報とから、個人ＩＤに基づいて、個人が利用していた道路の時間帯毎の推定結果と、個人の属性情報とを関連付ける。例えば、道路利用傾向把握部３０５は、道路を利用する個人の属性の分布として、月曜の１６時から１７時に道路Ａを通行する人は３０代の女性が２０％を占めており、その内の３０％がスーパーに買い出しに行く目的で道路を通行しているなどの内容を推定する。
【００２２】
広告情報ＤＢ３０６は、複数の広告情報を格納しているデータベースである。例えば、広告情報ＤＢ３０６は、スーパーの特売情報、レジャー施設の割引情報などの広告情報を格納している。複数の広告情報の各々は、設定された配信期間にしたがって、その配信期間に配信される。
広告決定部３０７は、道路利用傾向把握部３０５と、広告情報ＤＢ３０６と接続される。また、広告決定部３０７は、車両収容装置２が送信した車両位置通知情報を取得し、取得した車両位置通知情報に含まれる位置を示す情報と、その位置を示す情報を取得した日時を示す情報とを取得する。また、広告決定部３０７は、車両収容装置２が送信した属性情報通知情報を取得し、取得した属性情報通知情報に含まれる車両の運転者の属性情報を取得する。
広告決定部３０７は、取得した位置を示す情報と、予め用意され、設定される地図情報とを比較してマップマッチングを行うことによって、車両収容装置２を収容している車両が通行している道路推定する。また、位置を示す情報を複数回受信することで、車両の移動方向を推定してもよい。車両の移動方向を推定することによって、広告決定部３０７は、広告情報を配信する対象の施設が移動方向に位置する場合は広告を配信し、逆方向に位置する場合は広告を配信しないなどの判断を行うことができる。
広告決定部３０７は、道路利用傾向把握部３０５が作成した複数の道路の各々について、その道路を利用する個人の属性情報の時間帯毎の分布から、車両が通行している道路と、その車両の移動方向との推定結果に該当し、且つ取得した日時を示す情報を含む時間帯の属性情報を取得する。
広告決定部３０７は、広告情報ＤＢ３０６に含まれる複数の広告情報から、取得した属性情報に基づいて、車両の運転者の属性情報に適合する広告情報を抽出する。例えば、広告決定部３０７は、道路Ａを月曜の１６時３０分に通行する車両は、スーパーに買い出しに行く２０〜５０代の女性が３０％を占めているという統計情報から、付近のスーパーの特売情報を候補広告として抽出する。ここで、候補広告は任意の道路において複数の候補が存在しても構わない。
広告決定部３０７は、抽出した広告情報を、車両の運転者の属性情報に基づいて絞り込むことによって、配信する広告情報を決定する。広告決定部３０７は、配信する広告情報の決定結果を、広告配信部３０８へ出力する。例えば、広告決定部３０７は、抽出した広告情報を、運転者の属性情報、配信希望ジャンル、さらには配信済みフラグで絞り込みをし、配信広告を決定する。ここで、運転者の属性情報は、例えば運転者が１０代の男性の場合にはスーパーの特売情報を配信しないようにすることである。配信希望ジャンルは、例えば運転者がスーパーの特売情報の配信を希望しない場合は、当該ジャンルの広告を配信しないことである。配信済みフラグは、当該道路を通行する前の別の道路の通行時に判定を行って配信した広告を二重配信しないようにすることである。
広告配信部３０８は、広告決定部３０７と接続される。広告配信部３０８は、広告決定部３０７が出力した配信する広告情報を取得し、取得した配信する広告情報を含み、車両収容装置２をあて先とする広告配信情報を作成し、作成した広告配信情報を、通信Ｉ／Ｆ３６６へ出力する。
【００２３】
（広告配信システムの動作の一例）
図７は、本発明の実施形態の広告配信システムの動作の一例を示すフローチャートである。図７には、広告配信システム１００が、複数の道路の各々について、その道路を利用する個人の属性情報の分布を、時間帯毎に作成する処理を示す。ここでは、位置情報ＤＢ３０２に、移動端末群に含まれる複数の移動端末１−１〜移動端末１−ｊの各々の移動端末ＩＤと、移動端末の位置の履歴とを関連付けた情報が蓄積されている前提で説明する。
（ステップＳ１）
広告配信装置３の利用道路推定部３０３は、位置情報ＤＢ３０２に保管されている移動端末群に含まれる複数の移動端末１−１から移動端末１−ｊの各々の位置を示す情報を取得する。
（ステップＳ２）
広告配信装置３の利用道路推定部３０３は、取得した複数の移動端末１−１から移動端末１−ｊの各々の位置を示す情報と、予め用意される地図情報とを比較してマップマッチングを行い、複数の移動端末１−１から移動端末１−ｊの各々が利用していた道路を、時間帯毎に推定する。利用道路推定部３０３は、複数の移動端末１−１から移動端末１−ｊの各々が利用していた道路の推定結果を示す情報を、道路利用傾向把握部３０５に出力する。
（ステップＳ３）
広告配信装置３の道路利用傾向把握部３０５は、利用道路推定部３０３が出力した複数の移動端末１−１から移動端末１−ｊの各々が利用していた道路の推定結果を示す情報を取得し、取得した複数の移動端末１−１から移動端末１−ｊの各々が利用していた道路の推定結果を示す情報に基づいて、推定した道路を通過した後に向かった目的地を推定する。
（ステップＳ４）
広告配信装置３の道路利用傾向把握部３０５は、個人情報ＤＢ３０１に含まれる複数の移動端末１−１〜移動端末１−ｊの各々を保有する個人の個人ＩＤと、その個人が保有する移動端末の移動端末ＩＤとその個人の属性情報とを関連付けた情報と、複数の移動端末１−１から移動端末１−ｊの各々が利用していた道路の推定結果を示す情報である道路推定情報と、複数の移動端末１−１から移動端末１−ｊの各々の目的地推定情報とに基づいて、複数の道路の各々について、その道路を利用する個人の属性情報の分布を、時間帯毎に作成する。
【００２４】
図８は、本発明の実施形態の広告配信システムの動作の一例を示すシーケンスチャートである。図８には、広告配信装置３は、車両収容装置２が送信した車両位置通知情報と、属性情報通知情報とに基づいて、配信する広告情報を決定し、決定した広告情報を、車両収容装置２に配信する処理を示す。広告配信装置３は、運転が終了するまで、この処理を、繰り返し行う。
（ステップＳ１１）
車両収容装置２の位置計測部２０１は、測位部２５５へ、位置測位命令を出力し、出力した位置測位命令に応じて、測位部２５５が測位した車両収容装置２の位置を示す情報と、その位置を取得した日時を示す情報とを取得する。位置計測部２０１は、取得した位置を示す情報と、その位置を取得した日時を示す情報とを含み、広告配信装置３をあて先とする車両位置通知情報を作成し、作成した車両位置通知情報を、通信部２６６へ出力する。通信部２６６は、位置計測部２０１が出力した車両位置通知情報を取得し、取得した車両位置通知情報を、広告配信装置３に送信する。
（ステップＳ１２）
広告配信装置３の通信Ｉ／Ｆ３６６は、車両収容装置２が送信した車両位置通知情報を受信し、受信した車両位置通知情報を、広告決定部３０７に出力する。
（ステップＳ１３）
車両収容装置２の個人属性部２０３は、不揮発性メモリ２５６に格納されている属性情報２５６１を取得し、取得した属性情報２５６１と、車両の運転者のＩＤとを含み、広告配信装置３をあて先とする属性情報通知情報を作成し、作成した属性情報通知情報を、通信部２６６へ出力する。通信部２６６は、個人属性部２０３が出力した属性情報通知情報を取得し、取得した属性情報通知情報を、広告配信装置３に送信する。
（ステップＳ１４）
広告配信装置３の通信Ｉ／Ｆ３６６は、車両収容装置２が送信した属性情報通知情報を受信し、受信した属性情報通知情報を、広告決定部３０７に出力する。
（ステップＳ１５）
広告配信装置３の広告決定部３０７は、通信Ｉ／Ｆ３６６が出力した車両位置通知情報を取得し、取得した車両位置通知情報に含まれる位置を示す情報と、その位置を示す情報を取得した日時を示す情報とを取得する。また、広告決定部３０７は、通信Ｉ／Ｆ３６６が出力した属性情報通知情報を取得し、取得した属性情報通知情報に含まれる車両の運転者の属性情報を取得する。
広告決定部３０７は、取得した位置を示す情報と、その位置を示す情報を取得した日時を示す情報とに基づいて、取得した位置を示す情報と、予め用意され、設定される地図情報とを比較してマップマッチングを行うことによって、車両収容装置２を収容している車両が通行している道路と、その車両の移動方向とを推定する。
【００２５】
（ステップＳ１６）
広告決定部３０７は、道路利用傾向把握部３０５が作成した複数の道路の各々について、その道路を利用する個人の属性情報の時間帯毎の分布から、車両が通行している道路と、その車両の移動方向との推定結果に該当し、且つ取得した時間情報を含む時間帯の属性情報を取得する。
広告決定部３０７は、広告情報ＤＢ３０６に含まれる複数の広告情報から、取得した属性情報に基づいて、車両の運転者の属性情報に適合する広告情報を抽出する。
（ステップＳ１７）
広告決定部３０７は、抽出した広告情報を、車両の運転者の属性情報に基づいて絞り込むことによって、配信する広告情報を決定する。広告決定部３０７は、配信する広告情報の決定結果を、広告配信部３０８へ出力する。
（ステップＳ１８）
広告配信部３０８は、広告決定部３０７が出力した配信する広告情報の決定結果を取得し、取得した配信する広告の決定結果を含み、車両収容装置２を宛先とする広告配信情報を作成する。広告配信部３０８は、作成した広告配信情報を、通信Ｉ／Ｆ３６６へ出力する。通信Ｉ／Ｆ３６６は、広告配信部３０８が出力した広告配信情報を取得し、取得した広告配信情報を、車両収容装置２へ送信する。
（ステップＳ１９）
車両収容装置２の通信部２６６は、広告配信装置３が送信した広告配信情報を受信し、受信した広告配信情報を、広告表示部２０２へ出力する。
（ステップＳ２０）
広告表示部２０２は、通信部２６６が出力した広告配信情報を取得し、取得した広告配信情報を処理することによって、広告画像と音声とを作成する。広告表示部２０２は、作成した広告画像を、表示部２５７に出力する。広告表示部２０２は、作成した音声をスピーカ２５８に出力する。作成した音声をスピーカ２５８に出力することによって、広告情報の配信は運転時であるため、運転の邪魔にならないように音声で出力できる。
図８に示されるシーケンスチャートにおいて、ステップＳ１１の処理と、ステップＳ１３との処理を入れ替えてもよい。
【００２６】
前述した実施形態では、広告配信装置３が、移動端末１−１〜移動端末１−ｊの各々が走行するなどの利用していた道路を推定し、移動端末１−１〜移動端末１−ｊの各々が、推定した道路を通過した後に向かった目的地を推定する場合について説明したが、この限りでない。例えば、広告配信装置３は、移動端末１−１〜移動端末１−ｊの目的地を推定する処理を省略してもよい。この場合、広告配信装置３は、複数の移動端末１−１〜移動端末１−ｊの各々を保有する個人の個人ＩＤと、その個人の属性情報とを関連付けた情報と、移動端末１−１〜移動端末１−ｊの各々が利用していた道路の推定結果とに基づいて、道路毎に、その道路を利用する個人の属性情報の分布を、時間帯毎に導出する。
前述した実施形態では、車両収容装置２が、車両収容装置２の位置を示す情報と、その位置を取得した日時を示す情報とを含み、広告配信装置３をあて先とする車両位置通知情報を作成し、作成した車両位置通知情報を、送信する場合について説明したが、この例に限られない。例えば、車両収容装置２は、位置を取得した日時を示す情報を含まずに、車両収容装置２の位置を示す情報を含み、広告配信装置３をあて先とする車両位置通知情報を作成し、作成した車両位置通知情報を、送信してもよい。この場合、広告配信装置３の広告決定部３０７が、車両収容装置２が送信した車両位置通知情報を取得した日時を取得する。
前述した実施形態では、道路利用傾向把握部３０５が、複数の道路の各々について、その道路を利用する個人の属性情報の分布を、９時から１２時、１２時から１５時、１５時から１６時、１６時から１７時などの時間帯毎に作成する場合について説明したが、この例に限られない。例えば、道路利用傾向把握部３０５は、複数の道路の各々について、その道路を利用する個人の属性情報の分布を、曜日毎に作成してもよいし、日付毎に作成してもよいし、曜日と日付と時間との組み合わせ毎に作成してもよい。例えば、道路利用傾向把握部３０５は、複数の道路の各々について、その道路を利用する個人の属性情報の分布を、〇曜日の□時〜△時、＊月×日の△時〜□時毎に作成する。
前述した実施形態では、車両収容装置２に、属性情報２５６１が記憶される場合について説明したが、この例に限られない。例えば、車両収容装置２には、運転者の個人ＩＤを記憶し、広告配信装置３に、運転車の個人ＩＤと、運転者の属性情報とを関連付けて記憶するようにしてもよい。このように構成することによって、広告配信装置３は、車両収容装置２が送信した個人ＩＤに基づいて、その個人ＩＤに関連付けて記憶されている属性情報を取得できる。
前述した実施形態において、移動端末１は車両収容装置２の機能を含んでもよいし、車両収容装置２が移動端末１の機能を含んでもよい。
前述した実施形態において、広告配信装置３の個人情報ＤＢ３０１に、家族割引サービスから判断できる家族状況と、加入している通信プランとを保管してもよい。
前述した実施形態において、広告配信装置３の利用道路推定部３０３は、単一時間あたりの移動平均量などに基づいて、移動端末群の位置が、道路沿いの建物から移動しない場合に、その道路沿いの建物に滞在していると判定してもよい。また、利用道路推定部３０３は、道路を利用している移動端末群に含まれる移動端末１−１から移動端末１−ｊの各々の移動手段が歩行であるか、車両であるかを判定してもよい。
【００２７】
本実施例の広告配信システムによれば、広告配信装置３は、個人情報ＤＢ３０１と、位置情報ＤＢ３０２と、利用道路推定部３０３と、道路利用傾向把握部３０５と、広告情報ＤＢ３０６と、広告決定部３０７と、広告配信部３０８とを備える。個人情報ＤＢ３０１は、移動端末１−１を保有する第１ユーザの個人ＩＤと第１ユーザの属性情報とを関連付けたユーザ情報を記憶する。位置情報ＤＢ３０２は、移動端末１−１の移動端末ＩＤと移動端末１−１の位置情報の履歴とを関連付けた情報である位置履歴情報を記憶する。利用道路推定部３０３は、位置情報ＤＢ３０２に記憶されている位置履歴情報に基づいて、移動端末１−１を保有する第１ユーザが利用していた道路の推定結果である道路推定情報を導出する。
道路利用傾向把握部３０５は、個人情報ＤＢ３０１に含まれる第１ユーザ情報と、利用道路推定部３０３が導出した道路推定情報とに基づいて、道路を利用するユーザの属性情報の分布を、時間帯毎に作成する。広告情報ＤＢ３０６は、複数の広告情報を格納する。広告決定部３０７は、広告情報ＤＢ３０６と、車両収容装置２が送信した位置情報と広告配信対象者の属性情報と、道路利用傾向把握部３０５が作成した道路を利用するユーザの属性情報の分布とに基づいて、広告情報ＤＢ３０６に格納されている複数の広告情報から、車両収容装置２へ配信する広告情報を決定する。広告配信部３０８は、広告決定部３０７が決定した広告情報を、車両収容装置２へ配信する。このように構成することによって、広告配信装置３は、車両収容装置２の位置と、移動端末１を保持する歩行者の位置と、個人の属性などビッグデータから、道路毎の利用者の傾向を、時間帯毎に把握できるため、把握した利用者の傾向を、広告配信に活用できる。また、車両の利用者の購買行動に繋がりやすい広告を配信できる。このため、車両に乗車している者にとって、不要な広告の配信を減少できる。
【００２８】
さらに、利用道路推定部３０３は、道路推定情報に基づいて、第１ユーザが向かう目的地を推定する。道路利用傾向把握部３０５は、利用道路推定部３０３が推定した目的地にさらに基づいて、道路を利用するユーザの属性情報の分布を、時間帯毎に作成する。このように構成することによって、目的地にさらに基づいて、ユーザの属性情報の分布を作成できるため、ユーザの属性情報の分布の精度を向上できる。
さらに、車両収容装置２は、位置計測部２０１と、広告表示部２０２と、個人属性部２０３とを備える。位置計測部２０１は、車両収容装置２を収容する車両の位置を収集し、収集した位置を示す情報を含み、広告配信装置３をあて先とする車両位置通知情報を作成する。広告表示部２０２は、広告配信装置３が送信した広告配信情報に含まれる広告情報のうち、車両の位置に応じた広告情報を出力する。個人属性部２０３は、広告配信対象者の属性情報を含み、広告配信装置３をあて先とする属性情報通知情報を作成する。このように構成することによって、車両収容装置２は、車両位置通知情報と、属性情報通知情報とを送信することによって、広告配信装置３が送信した広告配信情報を受信できる。
さらに、広告表示部２０２は、広告情報を、映像と、音声とのいずれか一方又は両方で出力する。このように構成することによって、車両収容装置２を収容する車両の運転者を煩わせることなく、広告情報を、知らせることができる。
【００２９】
以上、実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合せを行うことができる。これら実施形態は、発明の範囲や要旨に含まれると同時に、特許請求の範囲に記載された発明とその均等の範囲に含まれるものである。
なお、上述した広告配信システム１００に含まれる移動端末１と、車両収容装置２と、広告配信装置３とは、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵが実行することで実現してもよい。ここでいう「コンピュータシステム」とは、ＯＳ(Operating System)や周辺機器などのハードウェアを含むものとする。
【００３０】
また、「コンピュータ読み取り可能な記録媒体」とは、フレキシブルディスク、光磁気ディスク、ＲＯＭ、ＣＤ−ＲＯＭなどの可搬媒体のことをいう。また、「コンピュータ読み取り可能な記録媒体」は、コンピュータシステムに内蔵されるハードディスクなどの記憶装置を含む。
さらに「コンピュータ読み取り可能な記録媒体」とは、短時間の間、動的にプログラムを保持するものを含んでいてもよい。短時間の間、動的にプログラムを保持するものは、例えば、インターネットなどのネットワークや電話回線などの通信回線を介してプログラムを送信する場合の通信線である。
また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ(Field Programmable Gate Array)である。
【００３１】
なお、上述の移動端末１と、車両収容装置２と、広告配信装置３とは内部にコンピュータを有している。そして、上述した移動端末１と、車両収容装置２と、広告配信装置３との各処理の過程は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリなどをいう。また、このコンピュータプログラムを通信回線によってコンピュータに配信し、この配信を受けたコンピュータが当該プログラムを実行するようにしてもよい。
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００３２】
１…移動端末、２…車両収容装置、３…広告配信装置、５０…ネットワーク、１１−１、１１−２、・・・、１１−ｎ…車両、１２−１、１２−２、・・・、１２−ｍ…人、１００…広告配信システム、２０１…位置計測部、２０２…広告表示部、２０３…個人属性部、２５０…内部バス、２５２…ＣＰＵ、２５４…メモリ、２５５…測位部、２５６…不揮発性メモリ、２５７…表示部、２５８…スピーカ、２６６…通信部、２５６０…プログラム、２５６１…属性情報、３０１…個人情報ＤＢ、３０２…位置情報ＤＢ、３０３…利用道路推定部、３０５…道路利用傾向把握部、３０６…広告情報ＤＢ、３０７…広告決定部、３０８…広告配信部、３５０…内部バス、３５２…ＣＰＵ、３５４…メモリ、３５６…不揮発性メモリ、３６２…操作部、３６６…通信Ｉ／Ｆ、３５６０…プログラム、３５６１…個人情報、３６６２…位置情報、３５６６…広告情報
【図１】
2020052907.tif 000003
【図２】
2020052907.tif 000004
【図３】
2020052907.tif 000005
【図４】
2020052907.tif 000006
【図５】
2020052907.tif 000007
【図６】
2020052907.tif 000008
【図７】
2020052907.tif 000009
【図８】
2020052907.tif 000010